(57)【要約】【課題】低コストで使い勝手の良い、かつリハビリ効果の高い機能訓練用具を提供する。【解決手段】逆椀形状であるドーム形状の基台１２と、螺旋溝が外周面に形成され、前記基台の表面から突き出るように設けられた複数のキャップ取付け部材１７と、螺旋溝と螺合する螺旋溝が内周面に形成された複数のキャップ１８と、を有する構成である。リハビリ患者等にとってキャップの取付け位置に無理がなく、キャップを螺合させて装着できるので、キャップ部材を把持した指の回転操作により高いリハビリ効果が期待できると共に、リハビリ患者等の指で持ちやすいキャップ部材を使用するので、使い勝手も良い機能訓練用具を提供することができる。【選択図】図４
2017070381.tif 000002
【特許請求の範囲】
【請求項１】
逆椀形状の基台と、
螺旋溝が外周面に形成され、前記基台の表面から突き出るように設けられた複数のキャップ取付け部材と、
前記螺旋溝と螺合する螺旋溝が内周面に形成された複数のキャップと、
を有する機能訓練用具。
【請求項２】
前記基台には、該基台の表面を貫通する複数の開孔部が形成され、前記キャップ取付け部材は、前記螺旋溝が外周面に形成される円筒形状のキャップ取付け部と、該キャップ取付け部の底部を閉じるように設けた鍔部と、該鍔部から伸長するボルト軸部と、を有し、前記取付け部材は、前記基台の外部から前記開口部を貫通させたボルト軸部にナットを螺着させて前記基台に挿着される請求項１に記載の機能訓練用具。
【請求項３】
前記キャップ取付け部には、環状のリング部材が前記鍔部と当接する位置に挿着され、前記リング部材は、前記キャップ取付け部に螺着されるキャップと着色が同一となる請求項２に記載の機能訓練用具。
【請求項４】
前記キャップの外周面には、前記キャップの中心軸の方向に沿って延びる溝が、周方向に所定間隔で複数形成されている請求項１乃至３のいずれかに記載の機能訓練用具。
【請求項５】
前記基台の頂部は扁平な円形状の扁平部が形成され、該扁平部に、底部と該底部から立設する周壁部とから成る皿状部材が設けられている請求項１乃至４のいずれかに記載の機能訓練用具。
【請求項６】
前記皿状部材に、時間を計測する時間計測部を設けた請求項５に記載の機能訓練具。
【請求項７】
逆椀形状の基台と、
円筒形状の首部を前記基台の表面から外部に向けて突き出るように前記基台に設けられた複数のペットボトル先端側部分と、
前記首部に着脱可能に螺着される複数のキャップと、
を有する機能訓練用具。
【請求項８】
前記基台には、基台の表面を貫通する複数の開孔部が形成され、前記ペットボトル先端部分は、前記首部に連続する肩部を含み、前記開孔部から前記基台の外部に向けて前記首部を突き出るように前記肩部を前記基台の内部に固着する請求項７に記載の機能訓練用具。
【発明の詳細な説明】
【技術分野】
【０００１】
本発明は、キャップを着脱可能とする複数のキャップ取付け部材が基台に設けられた機能訓練用具に関し、特に上肢手指の機能訓練用具に関する。
【背景技術】
【０００２】
指、手首及び腕等の機能回復等を目的として、基台上の所定位置に手で把持したネジ部材を回転させてネジ止めするリハビリ器具、機能訓練装置等が提案されている（例えば、特許文献１、２参照）。特許文献１に記載の器具は、基台上に配置される、外周面に螺旋溝が形成された円筒部材と、該螺旋溝に螺合する螺旋溝が内周面に形成されたキャップ部材と、該キャップ部材の回転を計測する計測器とを有するもので、患者の腕等の機能回復を図るべく指で回転させたキャップ部材の回転数の計測により機能の回復の程度を判定することができる機能訓練装置である。
【０００３】
また、特許文献２に記載の器具は、円盤形状の平面基台に埋設、固定された複数のナットに、これと螺合させる蝶ボルトを備えたもので、基台上に描かれた絵模様に対応するように、所定の蝶ボルトを所定位置のナットに螺合させたリハビリ器具である。
【先行技術文献】
【特許文献】
【０００４】
【特許文献１】実開平６−７５５２７号公報
【特許文献２】特開２００８−４２３号公報
【発明の概要】
【発明が解決しようとする課題】
【０００５】
上記特許文献１に記載の機能訓練装置によれば、上記したようにキャップ部材を回転させることで、指、手首等の機能回復を図り、更に計測器で回転数を計測することで回復の程度を判定できるものであるが、１個のキャップ部材を把持して回転させるという極めて単調な操作であり、機能訓練としての継続的な使用が期待できない。さらに、回転数を測定する計測器等を設ける必要があることからコスト増を招くことにもなる。また、特許文献２に記載のリハビリ器具は、基台上に描かれた絵模様と一致するように所定の蝶ボルトを螺合させるもので、ゲーム性を併せ持つものの、金属製金具である蝶ボルトを把持し、平坦な基台に埋設された所定位置のナットに螺合させるのは、指や手首の筋肉、神経等のリハビリを行う患者等にとっては無理な面があり、リハビリ等の訓練用具としての使い勝手に難点がある。
【０００６】
本発明は、低コストで使い勝手の良い、かつリハビリ効果の高い機能訓練用具の提供を目的とする。
【課題を解決するための手段】
【０００７】
上記課題を解決するために、逆椀形状の基台と、螺旋溝が外周面に形成され、前記基台の表面から突き出るように設けられた複数のキャップ取付け部材と、前記螺旋溝と螺合する螺旋溝が内周面に形成された複数のキャップと、を有する構成となる。
【０００８】
このような構成によれば、逆椀形状の基台に、複数のキャップ取付け部材が設けられているので、リハビリ患者等にとってキャップの取付け位置に無理がなく、キャップを螺合させて装着できるので、キャップ部材を把持した指の回転操作により高いリハビリ効果が期待できる。さらに、リハビリ患者等の指で持ちやすいキャップを使用するので、使い勝手も良い機能訓練用具を提供することができる。さらにまた、逆椀形状の基台の外部表面に複数のキャップ取付け部材を設けていることから、キャップの取付け位置が見つけやすく、螺合による装着が容易だけでなく、例えば、基台を回しながら、把持したキャップをキャップ取付け部に螺合させて装着できるので、使い勝手が良く、リハビリ効果の高さも期待でき、かつ低コストの機能訓練用具の提供か可能となる。本発明に係る機能訓練用具は、脳梗塞等の脳血管の疾病、神経関連の疾病、交通事故、スポーツ障害等による機能回復を目的とするリハビリ訓練等に使用することができ、更には幼児等の知能を高める教育具としても使用することができる。逆椀形状としては、例えば、ドーム形状、円錐台形状、角錐台形状等を含む。
【０００９】
本発明に係る機能訓練用具において、前記基台には、該基台の表面を貫通する複数の開孔部が形成され、前記キャップ取付け部材は、前記螺旋溝が外周面に形成される円筒形状のキャップ取付け部と、該キャップ取付け部の底部を閉じるように設けた鍔部と、該鍔部から伸長するボルト軸部と、を有し、前記取付け部材は、前記基台の外部から前記開口部を貫通させたボルト軸部にナットを螺着させて前記基台に挿着される構成とすることができる。
【００１０】
このような構成によれば、キャップ取付け部材を容易に基台に設けることができ、かつ基台からの脱落を防止することができる。キャップ取付け部材は、合成樹脂製、又はアルミニウム等の金属製のいずれでもよいが、キャップ取付け部材、基台、ナット及びキャップを含めて全体を合成樹脂製とすることで計量化を図ることができ、持ち運び等が容易となり利用性が向上する。
【００１１】
本発明において、前記キャップ取付け部には、環状のリング部材が前記鍔部と当接する位置に挿着され、前記リング部材は、前記キャップ取付け部に螺着されるキャップと着色が同一となる構成とすることができる。
【００１２】
このような構成によれば、キャップと該キャップを螺着するキャップ取付け部のリング部材とが同一色に着色されているので、リハビリ患者は単にキャップを螺着させるだけでなく、着色が同一として対応するキャップ取付け部にキャップを螺着させるので、機能訓練の幅が広がることになる。例えば、青色のキャップは青色のリング部材が挿着されているキャップ取付け部に螺着させる。なお、キャップ取付け部に螺着されるキャップと、リング部材とは、上記した同一色に着色するほかに、同一の番号、符号、記号又は対応する模様を付してもよい。機能訓練の幅がより広がることになる。
【００１３】
本発明に係る機能訓練用具において、前記キャップの外周面には、前記キャップの中心軸の方向に沿って延びる溝が、周方向に所定間隔で複数形成されている構成とすることができる。
【００１４】
このような構成によれば、キャップの外周面に、キャップの中心軸の方向に沿って延びる溝が、周方向に所定間隔で複数形成されているので、キャップを指で回転させる際に、指が滑ることなくキャップをキャップ取付け部に螺着させることができるので、リハビリ患者等にとって使い勝手の良い機能訓練用具を提供することができる
【００１５】
本発明に係る機能訓練用具において、前記基台の頂部は扁平な円形状の扁平部が形成され、該扁平部に、底部と該底部から立設する周壁部とから成る皿状部材が設けられている構成とすることができる。
【００１６】
このような構成によれば、基台の頂部に形成された扁平部に皿状部材が設けられているので、キャップ取付け部に装着する前のキャップを皿状部材に載置し、又はキャップ取付け部から取り外したキャップを皿状部材に載置することができるので、使い勝手が良く、機能訓練の利便性が向上する。
【００１７】
本発明に係る機能訓練用具において、前記皿状部材に、時間を計測する時間計測部を設けた構成とすることができる。
【００１８】
このような構成によれば、皿状部材に時間を計測する時間計測部を設けることで、例えば、所定時間内にキャップ取付け部に螺着させるキャップの数量をカウントすることができるので、機能訓練の効果を判定することができると共に、複数人での使用では所定時間内での装着個数を競うゲーム性も持つことから、利便性の高い機能訓練用具となる。また、機能が向上したときは、キャップ取付け部へのキャップの取付けと、取り外しの動作を繰り返し、所定時間内におけるこの動作回数を計測して、機能向上の度合いを判定することができる。なお、時間を計測する時間計測部としては、例えば、１〜３分程度の時間を計測する砂時計、置時計、ストップウオッチ等（アナログ式時計、デジタル式時計等を含む）を使用することができる。
【００１９】
本発明に係る機能訓練用具は、逆椀形状の基台と、円筒形状の首部を前記基台の表面から外部に向けて突き出るように前記基台に設けられた複数のペットボトル先端側部分と、前記首部に着脱可能に螺着される複数のキャップと、を有する構成とすることができる。
【００２０】
このような構成によれば、ペットボトルの首部を基台の表面から外部に向けて突き出るようにペットボトルの先端側部分を基台に設けたので、ペットボトルのキャップを首部に着脱可能に螺着することができ、低コストで使い勝手が良く、機能訓練の効果の高い機能訓練用具を提供することができる。ペットボトルは、使用済み、未使用のいずれでもよく、特にキャップの色が異なる複数個のペットボトルを設けることで、キャップと該キャップを取付ける首部とを同一着色により対応させることができる。すなわち、ペットボトルは、その開封時にキャップから分離したキャップと着色同一のＴＥバンド（tamper-evident band)が首部に残されるので、キャップと首部のＴＥバンドとの色合わせが可能となるので、機能訓練の幅を広げた機能訓練用具を提供することができる。
【００２１】
本発明に係る機能訓練用具において、前記基台には、基台の表面を貫通する複数の開孔部が形成され、前記ペットボトル先端部分は、前記首部に連続する肩部を含み、前記開孔部から前記基台の外部に向けて前記首部を突き出るように前記肩部を前記基台の内部に固着する構成とすることができる。
【００２２】
このような構成によれば、ペットボトルからその首部とこれに連続する肩部から成る先端部分を切り取り、容易に基台に取付けることができ、低コストで使い勝手が良く、機能訓練の効果の高い機能訓練用具を提供することができる。なお、肩部を基台の内部に固着する際に、肩部の一部を切り開いて展開することで、基台の内部表面との接触範囲が増加するので、接着剤等を使用した固着が容易となる。
【発明の効果】
【００２３】
本発明によれば、逆椀形状の基台に、複数のキャップ取付け部材が設けられているので、リハビリ患者等にとってキャップの取付け位置に無理がなく、キャップを螺合させて装着できるので、キャップ部材を把持した指の回転操作により高いリハビリ効果が期待できると共に、リハビリ患者等の指で持ちやすいキャップ部材を使用するので、使い勝手も良い機能訓練用具を提供することができる。
【図面の簡単な説明】
【００２４】
【図１】図１は、本発明の第１の実施形態に係る機能訓練用具の斜視図である。
【図２】図２は、図１に示す機能訓練用具の正面図である。
【図３】図３は、図１に示す機能訓練用具の平面図である。
【図４】図４は、図２のＡ−Ａ線断面図である。
【図５】図５は、図４の一部拡大断面図（キャップを螺着したキャップ取付け部材）である。
【図６】図６は、分離した状態のキャップ、キャップ取付け部材及びナットを二方向から見た斜視図である
【図７】図７は、図１に示す機能訓練用具の使用状態を示す斜視図である。
【図８】図８は、本発明の第２の実施形態に係る機能訓練用具の斜視図である。
【図９】図９は、図８に示す機能訓練用具の一部拡大断面図（キャップを螺着したペットボトルの先端部分）である。
【発明を実施するための形態】
【００２５】
本発明の実施の形態について図面を用いて説明する。本発明の実施の形態に係る機能訓練用具は、図１乃至図４に示すように構成される。
【００２６】
図１乃至図４おいて、本発明の実施の形態に係る機能訓練用具１１は、中空の逆椀形状であるドーム形状の基台１２と、基台１２の下部に配置された皿状のベース部材１３と、着台１２の頂部に形成された平坦部１２ａに設けた皿状部材１５と、皿状部材１５の中央に設けた時間計測部である砂時計部１６と、基台１２の外側表面である曲面部１２ｂから円筒形状のキャップ取付け部１７ａ（図６参照）が外側に向けて突出するように設けられた複数のキャップ取付け部材１７と、キャップ取付け部１７ａに着脱可能に螺着される、内周面に螺旋溝が形成されたキャップ１８と、を有する。
【００２７】
ドーム形状の基台１２は、略半球形状の中空の部材であり、頂部が平坦となる円形の平坦部１２ａと、平坦部１２ａ下側の曲面部１２ｂとを有している。平坦部１２ａには、平坦部１２ａと略同じ円形状の底部１５ａを有する上記皿状部材１５が接着剤（又はビス止め等も可）により固着されている。皿状部材１５は、上記した円形状の底部１５ａと、底部１５ａの周囲から外側に傾斜して立設する周壁１５ｂとで構成されている。また、基台１２の曲面部１２ｂには、曲面部１２ｂを貫通する複数の開孔部２１（図４、図５参照）が所定の密度で形成されており、キャップ取付け部１７は、この開孔部２１からその先端側のキャップ取付け部１７ａが外部に向けて突出するように設けられている。開孔部２１の径は、キャップ取付け部１７ａの径より若干大きい程度であり、開孔部２１とキャップ取付け部１７ａとは僅かな隙間（図５参照）を有する。
【００２８】
図６に示すように、キャップ取付け部材１７は、一方の側が外周面に螺旋溝が形成された円筒部であるキャップ取付け部１７ａと、キャップ取付け部１７ａの底部を閉じるように形成される、底部よりも径の大きい鍔部１７ｂと、鍔部１７ｂからキャップ取付け部１７ａとは反対側に向けて突き出たボルト軸部１７ｃと、鍔部１７ｂに当接する位置でキャップ取付け部１７ａに挿着されたリング部材２２とで構成される。キャップ取付け部１７ａ、鍔部１７ｂ及びボルト軸部１７ｃは、合成樹脂（又はアルミニウム等の金属）で一体に形成されており、後から樹脂製のリング部材２２がキャップ取付け部１７ａに挿着されている。キャップ取付け部１７ａには、上述したようにキャップ１８が着脱可能に螺合され、ボルト軸部１７ｃには、ナット２０が着脱可能に螺合される。キャップ１８の内周面には、キャップ取付け部１７ａの外周面に形成された螺旋溝と螺合する螺旋溝が形成されている。また、キャップ１８と、キャップ１８が螺着するキャップ取付け部１７ａに嵌め込まれたリング部材２２とは、それぞれ同一色に着色されており、例えば、青色のキャップ１８は青色のリング部材２２が嵌め込まれたキャップ取付け部１７ａに螺着し、赤色のキャップ１８は赤色のリング部材２２が嵌め込まれたキャップ取付け部１７ａに螺着するようにして、対応関係を持たせることでリハビリの効果をより一層図ることができる。また、キャップ１８の外周面には、キャップ１８の中心軸の方向に沿って延びる溝１８ｂが、周方向に複数形成されているので（図６参照）、滑り止め効果を生じ、リハビリ中の患者にとってキャップ１８を落下させることなく指で把持することができ、キャップ１８の表面を指が滑ることなくキャップ取付け部１７ａに螺着させることができる。
【００２９】
図４、図５に示すように、キャップ取付け部材１７は、基台１２の曲面部１２ａに形成される開孔部２１に、基台１２の外側からボルト軸部１７ｃを挿入し、基台１２の内部からボルト軸部１７ｃにナット２０を螺着させて、曲面部１２ａに固着される。鍔部１７ｂは開孔部２１を塞ぐ大きさであるから、ボルト軸部１７ｃにナット２０を螺着することで、ナット２０と鍔部１７ｂとで曲面部１２ａを挟持するように固着することができる。
【００３０】
図１乃至図４に示すように、ベース部材１３は、上部を開口とする平底形状の円形容器で（図４参照）、その周囲が所定幅の円形の縁部１３ａが形成されており、基台１２下部周囲の円形の縁部１２ｃと重なるようにビス止めされている。なお、本実施形態では、上記ビス止めとしたが、接着剤を使用して固着しても良い。ベース部材１３に縁部１３ａを形成することで、手による持ち運び等が容易となり、使い勝手の良い機能訓練用具を提供することができる。
【００３１】
基台１２の円形状の平坦部１２ａに設けた皿状部材１５は、上述したように、円形状の底部１５ａと、底部１５ａの周囲から外側に傾斜して立設する周壁１５ｂとで構成されており、底部１５ａの中心位置には、所定時間を計測する時間計測部である砂時計部１６が設けられている。砂時計部１６は、両端に設けた円筒状部３１ａ、３１ｂと、これら円筒状部３１ａ、３１ｂを細管状部３１ｃで連通して形成された、所定量の砂が封入されたガラス容器３１と、このガラス容器３１の両端部を固定する所定幅の長方形状の枠体３２と、皿状部材１５の中心位置に固着され、かつ上記枠体３２を上下方向に回動可能に枢着するＵ字形状の取付け部材３３とで構成されている（図１参照）。枠体３２が上下方向に回動可能となることから、枠体３２に固定されたガラス容器３１も同様に上下方向に回動可能となり、所定量の砂が一方の円筒状部３１ａ（３１ｂ）から細管状部３１ｃを通じて他方の円筒状部３１ｂ（３１ａ）に落下させて所定時間を計測する砂時計としての機能を有するものである。なお、本実施形態では上記したように基台１２の上に皿状部材１５及び砂時計部１６を設けているが、砂時計部１６を省略して皿状部材１５のみとしてもよく、又は皿状部材１５及び砂時計部１６の両方を省略しても良い。
【００３２】
次に、図７を参照して、本発明の実施形態に係る機能訓練用具１１の使用（動作）について説明する。
【００３３】
図７に示すように、機能訓練用具１１の皿状部材１５には、複数のキャップ１８が載置されている。上述したように、キャップ１８は、それぞれ着色を異にするものを使用し（着色が同一のキャップを含む場合もある）、機能訓練の向上を図るため、指（鎖線で示す）で掴んだキャップ１８を同一着色のリング部材２２が挿着されたキャップ取付け部１７ａに螺着させるようにすることができる。
【００３４】
本実施形態に係る機能訓練用具１１の使用開始に際しては、砂時計部１６の枠体３２を上下反対に回動させ、ガラス容器３１に封入された砂を上方に位置する円筒状部３１ａ（３１ｂ）から下方に位置する円筒状部３１ｂ（３１ａ）に向けて落下させ、所定時間の計測を開始させる。上方の円筒状部の全ての砂が下方の円筒状部に落下するまでの所定時間内に、所定の取付け部１７ａにキャップ１８を何個螺着できたかをカウントして機能判定を行うことができ、さらに機能が向上したときは、キャップ取付け部１７ａへのキャップ１８すべての螺着と、取り外しの動作の繰り返し数をカウントすることで機能向上の判定ができる。
【００３５】
上記した所定時間内にキャップ１８を同一着色のリング部材２２が挿着されたキャップ取付け部１７ａに螺着させるのは機能訓練の一例であり、キャップ１８と対応するキャップ取付け部１７ａのリング部材２２とにそれぞれ対応する所定の模様を描き、模様が対応するようにキャップ１８を選択して所定のキャップ取付け部１７ａに螺合させて装着するようにしても良い。さらには、キャップ１８とリング部材２２に同一番号をそれぞれ記載して、リング部材２２と同一番号のキャップ１８をキャップ取付け部１７ａに螺着させても良い。このように模様、番号等で対応するキャップ１８を螺着させることができるのでリハビリ訓練用具として使用する他に、幼児等の教育用の訓練用具としても使用することができる。
【００３６】
本実施形態では、時間計測部として砂時計部１６としているが、これに限定するものではなく、例えば、ストップウオッチを皿状部材１５に設置しても良い。砂時計部１６では、１分計、２分計のように所定時間を計測するには良いが、全てのキャップ１８を所定のキャップ取付け部１７ａに螺着する場合、各使用者の螺着完了時間の正確な比較が困難であるが、ストップウオッチによれば比較が容易となる。アナログ式の他に、デジタル式の時計、ストップウオッチを使用することもできる。また、砂時計部１６を含む各種の時間計測部を使用しなくても良い。時間を計測することなく、キャップ１８を対応する所定のキャップ取付け部１７ａに螺着し、取り外しするだけでも、指でキャップ１８を把持した回転動作による機能訓練の効果が発揮できるからである。
【００３７】
次に、本発明の第２の実施形態に係る機能訓練用具について、図８、図９を参照して説明する。なお、第１の実施形態と形状、機能が共通する部分については、同一名称、同一符号を使用する。図８、図９に示すように、本実施形態に係る機能訓練用具５１は、キャップ取付け部材５１及びキャップ５３について、ペットボトルの一部を使用することが特徴である。
【００３８】
キャップ取付け部材５１は、ペットボトル（不図示）の注出口を含む首部５１ａと、首部５１ａに続く肩部５１ｂとを含んだ、ペットボトルの先端部分から成るものである。ペットボトルからその先端部分（首部５１ａ及び肩部５１ｂ）を切り取り、基台１２に形成された開孔部５６から首部５１ａを外部に向けて突き出すように、肩部５１を基台１２の内側面に、接着剤等で固着（又は熱溶着）する。基台１２との接触部分を広くするべく、肩部５１ｂに切欠きをいれて展開することで、接着面を広くして強固に固着することができる。首部１７及びキャップ１８は、ペットボトルを利用することもできるので、低コストでかつ使い勝手の良い機能訓練用具を提供することができる。なお、ペットボトルとして、本実施形態では５００ｍｌ用のものを使用しているが、これに限定するものではない。例えば、１０００ｍｌ用、２０００ｍｌ用の使用済ペットボトルを使用することもできる。
【００３９】
ペットボトルの首部５１ａには、飲用時の開封時にキャップ５３から切り離された、開封済みを示すＴＥバンド５５が挿着されており、キャップ５３と同一着色であることから、第１の実施形態と同様に、キャップ５３を同一着色のＴＥバンド５５が挿着されている首部５１ａに螺着させることができる。なお、第１実施形態と同様に、キャップ５３の外周面には、キャップ５３の中心軸の方向に沿って延びる溝５３ｂが、周方向に所定間隔で複数形成されているので、指が滑ることなくキャップ５３を首部５１ａに螺合により装着、又は取り外しをすることができる。
【００４０】
上記したように、本実施形態によれば、第１の実施形態のキャップ取付け部材１７（図５、図６等参照）及びキャップ１８を使用することなく、既存品であるペットボトルの先端部分を切り取って基台に固着して使用することができるので、第１の実施形態と同様のキャップの螺合による装着と、取り外しの回転動作による手指等の機能回復、向上等のリハビリ等に効果をもたらすと共に、低コストで提供できるという効果を併せもつ機能訓練用具を提供することができる。なお、第１の実施形態に使用するキャップ１８については、ペットボトルのキャップ５３を使用しても良い。
【００４１】
第１、第２の実施形態の双方とも、逆椀形状となるドーム形状の基台１２に設けた所定高さ位置にあるキャップ取付け部１７ａ（首部５１ａ）に、キャップ１８（５３）を螺合させて装着、取り外しを行うので、リハビリ患者等にとって使い勝手のよい機能訓練用具であり、リハビリ効果もあり、かつ簡便な機構の機能訓練用具の提供か可能となる。機能訓練として、脳梗塞等の疾病、交通事故、スポーツ障害等による機能回復を目的とするリハビリに使用することができ、更には幼児等の知能を高める教育具としても使用することができる。
【産業上の利用可能性】
【００４２】
以上、説明したように、本発明に係る機能訓練用具は、指を使うキャップ部材の回転による高いリハビリ効果が期待でき、さらに指で把持し易いキャップ部材を使用するので使い勝手も良くコストを抑えることができるという効果を奏し、逆椀形状の基台と、該基台の外側表面に外部に向けて突出するように設けられた、キャップ取付け部を備えた複数のキャップ取付け部材と、該キャップ取付け部に螺着される複数のキャップと、を有する機能訓練用具として有用である。
【符号の説明】
【００４３】
１１    機能訓練用具
１２    基台
１２ａ  平坦部
１２ｂ  曲面部
１２ｃ  縁部
１３    ベース部材
１３ａ  縁部
１５    皿状部
１６    砂時計部
１７    キャップ取付け部材
１７ａ  キャップ取付け部
１７ｂ  鍔部
１７ｃ  ボルト軸部
１８    キャップ
１８ａ  螺旋溝
１８ｂ  溝
２０    ナット
２１    開孔部
２２    リング部材
３１    ガラス容器
３１ａ、３１ｂ  円筒状部
３１ｃ  細管状部
３２    枠体
３３    取付け部材
５１    キャップ取付け部材
５１ａ  首部
５１ｂ  肩部
５３    キャップ
５５    ＴＥバンド
５６    開孔部
【図１】
2017070381.tif 000003
【図２】
2017070381.tif 000004
【図３】
2017070381.tif 000005
【図４】
2017070381.tif 000006
【図５】
2017070381.tif 000007
【図６】
2017070381.tif 000008
【図７】
2017070381.tif 000009
【図８】
2017070381.tif 000010
【図９】
2017070381.tif 000011